(57)【要約】【課題】  捕獲しようとする動物の大きさ（重量）に応じて捕獲檻の仕掛けが作動する感度の調整が容易にできる捕獲檻を提供する。【解決手段】  檻本体１０の各開口を開閉するべく上下方向に沿って移動可能な一対のシャッタ３０にワイヤ４０を連結し操作ワイヤ４１を、ワイヤ４０に引掛けてワイヤ４０に沿って移動可能に取付け、檻本体１０の底部に上昇位置と下降位置に変位する可動体６０を配設し、また、可動体６０を上昇位置に付勢する付勢力の強さを複数段階に設定でき、前記可動体６０に加わった荷重の大きさが前記付勢力を超える場合に下降位置に変位する付勢手段６２を設け、可動体６０に連係し、可動体６０が上昇位置にある場合に操作ワイヤ４１の他端をロック可能となる一方、可動体６０が下降位置に変位した場合にロック状態を解除するトグル型のロック手段７０とを備えるように構成した。【選択図】  図１
2005261381.tif 000002
【特許請求の範囲】
【請求項１】
前後の各端部にそれぞれ開口を有する檻本体と、この檻本体の各開口を開閉するべく上下方向に沿って移動可能に配設した一対のシャッタと、これらシャッタに連結し、引張操作した場合に該シャッタを開放移動させるワイヤと、一端を前記ワイヤに引掛けて係合し、前記ワイヤに沿って移動可能に取付けられる操作ワイヤと、前記檻本体の底部に配設し、上昇位置と下降位置に変位する可動体と、前記可動体を上昇位置に付勢する付勢力の強さを複数段階に設定でき、前記可動体に加わった荷重の大きさが前記付勢力を超える場合に下降位置に変位する付勢手段と、前記可動体に連係し、該可動体が上昇位置にある場合に前記操作ワイヤの他端を引張操作した状態にロック可能となる一方、前記可動体が下降位置に変位した場合に前記操作ワイヤのロック状態を解除するトグル型のロック手段とを備えた捕獲檻。
【発明の詳細な説明】
【技術分野】
【０００１】
本発明は、猪、鹿、熊などの比較的大型の動物を捕獲するための捕獲檻に関する。
【背景技術】
【０００２】
この種の捕獲用檻として、左右の各端部に開口を有し、地上に設置される角筒形の檻本体と上記檻本体の左右の開口上に垂直に立って支持され、垂直に降下して左右の開口を同時に塞ぐ左右一対のシャッターを備えた捕獲檻を出願人は提案した。（特許文献１参照）
【０００３】
この捕獲檻は、前後の各端部にそれぞれ開口を有する檻本体と、この檻本体の各開口を開閉するべく上下方向に沿って移動可能に配設した一対のシャッタと、これらシャッタに連結し、引張操作した場合に該シャッタを開放移動させる開放操作部材と、前記檻本体の底部に配設し、通常状態において上昇位置に占位する一方、荷重が加わった場合に下降位置に変位する可動体と、前記可動体に連係し、該可動体が上昇位置にある場合に前記開放操作部材を引張操作した状態にロック可能となる一方、前記可動体が下降位置に変位した場合に前記開放操作部材のロック状態を解除するトグル型のロック手段とを備えた構成である。
【０００４】
上記の捕獲檻は、開口部を動物が歩行する獣道等の中に位置させて仕掛け、左右の開口から檻の中に踏み込んだ動物の重量で檻の底板が下向きに動くと、前後の開口の上で垂直に立っているシャッターの降下を阻止していた開放操作部材のロック状態が解除され、シャッターが降下して左右の開口を同時に塞ぎ、檻本体の内部に動物を捕獲するものである。
【０００５】
この捕獲檻は、開放操作部材を介してシャッタをロックするための手段としてトグル型のものを適用しているため、可動体にごく僅かな荷重が作用した場合でもロック状態が解除され、比較的小型で軽量の鳥獣をも確実に捕獲することが可能になる。
【特許文献１】実用新案登録第３０７３０１４号公報
【発明の開示】
【発明が解決しようとする課題】
【０００６】
ところで、猪、熊などの比較的大型で危険な動物が出現した場合には、安全上、猿や狸、カラスなどの比較的小型で軽量の鳥獣の捕獲は見合わせて、猪、熊などの比較的大型で危険な動物の捕獲が最優先となる。しかしながら、捕獲すべき動物は、種類、年齢等の条件により、その大きさが様々であり、しかも動物は日数の経過とともに成長するため、どうしても、捕獲檻の仕掛けが作動する感度を再調整する必要が生じるが、上述した捕獲檻の場合、捕獲檻の仕掛けが作動する感度の調整がうまくできない。
【０００７】
また、猿や狸、さらにはカラスなどの比較的小型で軽量の鳥獣を捕獲してしまう誤動作が発生することもある。このような誤動作の後に再度仕掛けても、動物の警戒心が高まる結果、捕獲檻に近寄ることさえなくなる虞れがあるため捕獲檻の改善が望まれていた。
【０００８】
本発明は、上記実情に鑑みて提案されたもので、解決しようとする課題は捕獲しようとする動物の大きさ（重量）に応じて捕獲檻の仕掛けが作動する感度の調整が容易にできる捕獲檻を提供することを目的とする。
【課題を解決するための手段】
【０００９】
上記課題を解決するために請求項１に記載の発明は、前後の各端部にそれぞれ開口を有する檻本体と、この檻本体の各開口を開閉するべく上下方向に沿って移動可能に配設した一対のシャッタと、これらシャッタに連結し、引張操作した場合に該シャッタを開放移動させるワイヤと、一端を前記ワイヤに引掛けて係合し、前記ワイヤに沿って移動可能に取付けられる操作ワイヤと、前記檻本体の底部に配設し、上昇位置と下降位置に変位する可動体と、前記可動体を上昇位置に付勢する付勢力の強さを複数段階に設定でき、前記可動体に加わった荷重の大きさが前記付勢力を超える場合に下降位置に変位する付勢手段と、前記可動体に連係し、該可動体が上昇位置にある場合に前記操作ワイヤの他端を引張操作した状態にロック可能となる一方、前記可動体が下降位置に変位した場合に前記操作ワイヤのロック状態を解除するトグル型のロック手段とを備えた捕獲檻である。
【発明の効果】
【００１０】
捕獲しようとする動物の大きさ（重量）に応じて捕獲檻の仕掛けが作動する感度の調整が容易にできるものである。
【発明を実施するための最良の形態】
【００１１】
以下、本発明に係る捕獲檻の一実施の形態を示す図面に基づいて本発明を詳細に説明する。図１は本発明に係る捕獲檻１の要部を概念的に示すもので、（ａ）はロック手段がロックした状態を示す側面図、（ｂ）はロック手段がロックを解除した状態を示す側面図である。また、図２は捕獲檻１の外観を示すもので、（ａ）はロック手段がロックして檻本体の開口が開成した状態を示す側面図、（ｂ）はロック手段がロックを解除して檻本体の開口が閉成した状態を示す側面図である。また、図３（ａ）はストッパ手段がシャッタの移動域から退避した状態を示す概念側面図、図３（ｂ）はストッパ手段がシャットの移動域に突出した状態を示す概念側面図である。また、図４は捕獲檻へロック手段を取付けた状態を示す分解斜視図である。
【００１２】
図１〜図４に例示する本発明に係る捕獲檻の一実施形態の捕獲檻１は、左右の側壁１１，１２、上壁１３および底壁１４を有し、かつ前後にそれぞれ開口１５，１６を有した角筒形の檻本体１０を備えている。各壁は、断面Ｌ字状のアングル材等の太い金属角材から成る外枠１７と、外枠１７の内部に金属棒１８ａを縦横に溶接することによって構成した格子１８とを備えたものである。これらの壁は、外枠１７同志をネジ等の連結手段によって組み上げることにより角筒形に構成してあり、不使用時は分解して収納することができる。
【００１３】
この檻本体１０には、前後の各開口部にそれぞれガイド手段２０を設けてあるとともに、各ガイド手段２０にシャッタ３０を配設してある。
【００１４】
ガイド手段２０は、上下方向に沿って延在した左右一対のスライドガイド部材２１と、これらスライドガイド部材２１の上端部間を連結する連結部材２２とを備えた門型を成すもので、連結部材２２の中央部に第１滑車２３を備えている。
スライドガイド部材２１は、横断面がコの字状を成し、かつ檻本体１０の高さの２倍より大きな長さを有した太い金属材であり、互いにコの字の開口を対向させた状態で設けてある。連結部材２２は、壁の外枠１７と同様に太い金属角材によって構成してある。
【００１５】
シャッタ３０は、檻本体１０の壁と同様に外枠３１と格子３２とを備えたものであり、当該檻本体１０の開口１５，１６を閉塞できる大きさに構成してある。
各シャッタ３０は、左右両縁部がスライドガイド部材２１のコの字状を成す部分に嵌合しており、該スライドガイド部材２１をガイドとして上下方向に移動することが可能である。これらシャッタ３０には、それぞれの上縁中央部に引張操作した場合にシャッタ３０，３０を開放移動させるワイヤ４０を接続してある。ワイヤ４０は、連結部材２２の第１滑車２３を巻回した後に互いに連結してある。
【００１６】
操作ワイヤ４１はその両端にリング４１ａ，４１ｂが設けられている。リング４１ｂはフック金具４２の基端部のスロット４２ａに挿通されて、操作ワイヤ４１の一端にフック金具４２を保持している。このフック金具４２の先端には爪部４３ａと、爪部４３ａの入り口部を開閉するストッパ４３ｂが設けられており、フック金具４２の爪部４３ａをワイヤ４０の途中部に引掛けて係合し、操作ワイヤ４１の一端のフック金具４２をワイヤ４０に沿って移動可能に取付けることができる。
【００１７】
また、図３に示すように、これらガイド手段２０と各シャッタ３０との間には、それぞれストッパ手段としてストッパ部材５０を設けてある。ストッパ部材５０は、ストッパ爪部５１と重錘部５２とを一体に構成し、さらにストッパ爪部５１よりも上方となる部位に支持軸５３を設けたもので、ストッパ爪部５１がシャッタ３０の移動域に出没する態様で、支持軸５３を介してスライドガイド部材２１に揺動可能に支承させてある。また、ガイド手段２０の底部の左右には、金属板を直角に曲げたＬ字状のシャッタ受け５５を設けている。
【００１８】
また、上記檻本体１０には、その内部の中央に可動体６０を設けてある。可動体６０は、金属、あるいは木材によって平板状に成形したもので、その一端に設けた軸６１により、檻本体１０の底部において水平軸回りに回転可能に支承させてある。図２に示すように、この可動体６０の他端部には、可動体６０を上昇位置に付勢する付勢手段としてのコイルスプリング６２と、一対の高さ調整金具６３，６３を設けてある。コイルスプリング６２は、檻本体１０の側壁１１との間に介在しており、図１（ａ）に示すように、通常状態においてその弾性力により上記可動体６０を水平となった上昇位置に維持するものである。高さ調整金具６３，６３は、短冊状の板材を途中から略直角に折り曲げたＬ字状をなし、それぞれの高さ調整金具６３，６３は、下端部を左右に開いて上端部を背中合わせに直立させて並置して可動体６０に固定してある。各上端部には長手方向に沿って、間隔を空けて複数の孔６３ａ，６３ａ，・が設けられている。
【００１９】
さらに、上記檻本体１０には、可動体６０の先端に近接する側壁１１にロック本体７１と四節リンク７２とから成るロック手段７０及びコイルスプリングの保持金具８０を設けてある。ロック本体７１は、断面がＬ字状を成す太い金属角材であり、金属板材７１ａとともに上述した側壁１１の中央部の格子１８の金属棒１８ａを挟んだ状態で、ネジ７１ｂによって金属板材７１ａを締め付けて金属棒１８ａに固定してある。
【００２０】
四節リンク７２は、ロック本体７１の底面に固定した第１リンク７２ａと、この第１リンク７２ａの外方側下端部に第１軸７２ｂを介して支承させた第２リンク７２ｃと、第１リンク７２ａの内方側下端部に第２軸７２ｄを介して支承させた第３リンク７２ｅと、これら第２リンク７２ｃおよび第３リンク７２ｅの間を連結するように第３軸７２ｆおよび第４軸７２ｇを介して支承させた第４リンク７２ｈとを備えており、これらのリンクによってトグル機構を構成している。すなわち、図２（ａ）からも明らかなように、この四節リンク７２は、第１軸７２ｂと第３軸７２ｆとを互いに鉛直方向に沿って配置させた場合に、第２軸７２ｄと第４軸７２ｇとを結ぶ線の延長線がこれら第１軸７２ｂと第３軸７２ｆとの間を通過するようになっている。この状態においては第２リンク７２ｃに、所謂セルフロックが作用しており、当該第２リンク７２ｃを第１軸７２ｂの軸心回りに揺動させることができない。このセルフロック状態は、第４リンク７２ｈを第３軸７２ｆの軸心回りに僅かに下方に揺動させれば、第３リンク７２ｅが第２軸７２ｄの軸心回りに下方へ揺動することで容易に解除され、以降、第２リンク７２ｃが第１軸７２ｂの軸心回りに大きく下方へ揺動するようになる。
【００２１】
この四節リンク７２には、第２リンク７２ｃおよび第４リンク７２ｈにそれぞれ延長部分７２ｊ，７２ｋを設けてある。第２リンク７２ｃの延長部分（以下、第２リンク延長部分７２ｊという）は、上述したセルフロック状態において当該第２リンク７２ｃから水平方向に沿って檻本体１０の外側に延在する部分であり、その先端部にストッパ軸７３を備えている。ストッパ軸７３は、その先端部に平板状の補助ストッパ７３ａを径方向に設けている。ストッパ軸７３は、セルフロック状態において上方向に斜めに延在するように設けてあり、その先端部がロック本体７１の底面に当接している。第４リンク７２ｈの延長部分（以下、第４リンク延長部分７２ｋという）は、上述したセルフロック状態において当該第４リンク７２ｈから水平方向に沿って檻本体１０の内側に延在する部分であり、その先端部には孔７２ｌが設けられ、第４リンク延長部分７２ｋは、上述した高さ調整金具６３，６３の孔６３ａ，６３ａと共に連結ピン６３ｂが挿通され、可動体６０が水平を維持する上昇位置の高さとなるように調整可能な状態で揺動可能に支承させてある。
【００２２】
したがって、獣道等の中に位置させて捕獲檻を仕掛ける際に、高さ調整金具６３，６３の孔６３ａ，６３ａへの連結ピン６３ｂの挿し込み位置を変更することで、動物が歩行する底板（可動体６０）の位置あわせが容易にできる。
【００２３】
コイルスプリングの保持金具８０は、上述した側壁１１の中央部に溶接によって固定してあり、側壁１１に取付けられる辺８０ａと対向する辺８０ｂには、一定間隔で複数の溝８０ｃが設けられ、各溝の間にコイルスプリング６２のフックが引掛けられる係止部８１，８１・・が複数形成されている。
【００２４】
コイルスプリングの保持金具８０は、可動体６０を上昇位置に付勢するコイルスプリング６２の付勢力の強さを複数段階に設定して、可動体６０に加わった荷重の大きさがコイルスプリング６２の付勢力を超える場合に、可動体６０を下降位置に変位するように設定するためのものである。
【００２５】
また、コイルスプリング６２はその弾性力により可動体６０を水平となった上昇位置に維持するものであるが、側壁１１に設けたロック本体７１と四節リンク７２により、可動体６０は、水平状態よりは上昇位置とならないように支承させておけば、コイルスプリング６２を保持金具８０の複数の係止部８１のいずれに引掛けるかによって、捕獲しようとする動物の大きさ（重量）に応じて捕獲檻の仕掛けとなる底板（可動体６０）が作動する感度の調整が容易にできる。
【００２６】
上記のように構成した捕獲檻１によって猪や熊などの比較的大型で危険な動物を捕獲する場合には、檻本体１０を獣道などに配置した後、それぞれのシャッタ３０を上動させることによって檻本体１０の開口１５，１６を開成し、フック金具４２の爪部４３ａをワイヤ４０の途中部に引掛けて係止し、操作ワイヤ４１をワイヤ４０に沿って移動可能に取付ける。さらに図１（ａ）に示すように、操作ワイヤ４１のリング４１ａをストッパ軸７３に挿通させて四節リンク７２をセルフロック状態にする。この状態においては、ストッパ軸７３によって操作ワイヤ４１の上部への移動が阻止されるため、ワイヤ４０、操作ワイヤ４１によってシャッタ３０が吊下げられた状態となり、檻本体１０の開口１５，１６が開成した状態を保持する。また、ストッパ部材５０は、ストッパ爪部５１がシャッタ３０に当接することにより、自重に抗して上方に傾動するようになる。
【００２７】
上述した操作の間、上記捕獲檻１によれば、操作者が触れるなどして檻本体１０に振動や衝撃が加わった場合にも、四節リンク７２がセルフロック状態にあるため、不用意にワイヤ４０のリング４１がストッパ軸７３から抜けることがなく、作業を容易に行うことができる。
【００２８】
次いで、檻本体１０の内部、好ましくは中央部分に捕獲対象となる動物が好む餌を入れて待機する。この場合、可動体６０やロック手段７０、さらには檻本体１０、シャッタ３０、ワイヤ４０、操作ワイヤ４１を草木によってカムフラージュすることが好ましい。また、操作ワイヤ４１はフック金具４２の爪部４３ａをワイヤ４０の途中部に引掛けて係止して取付けられるので、ロック手段７０に予めておき、後からワイヤ４０に容易に取付けることができるので、カムフラージュの際に、ワイヤ４０から取り外しても再度の取付けは容易である。
【００２９】
上述した状態から暫時時間が経過すると、餌の匂いにつられて動物が捕獲檻１に接近し、やがて警戒しながら檻本体１０に侵入しようとする。
【００３０】
この状態においても、上記捕獲檻１によれば、四節リンク７２のセルフロックにより、比較的小型で軽量の鳥獣が侵入して不用意に操作ワイヤ４１のリング４１ａがストッパ軸７３から抜けることがないため、軽量の鳥獣を捕獲してしまう誤動作が防止され、当該檻本体１０の開口１５，１６が継続して開成された状態に保持されるようになる。
【００３１】
やがて猪、熊などの比較的大型で危険な動物が餌を食するべく檻本体１０の中央部まで侵入すると、図１（ｂ）に示すように、可動体６０に脚を載せた時点で当該可動体６０が動物の荷重によりコイルスプリング６２の弾性力に抗して下動し、さらに高さ調整金具６３を介して四節リンク７２の第４リンク７２ｈが第３軸７２ｆの軸心回りに下方に揺動することになり、四節リンク７２のセルフロックが直ちに解除されて第２リンク７２ｃが第１軸７２ｂの軸心回りに下方へ揺動するようになる。
【００３２】
この場合、可動体６０の下動がごく僅かであっても、セルフロックが解除された以降、第２リンク７２ｃおよび第４リンク７２ｈがそれぞれの自重により、下方に向けて大きく揺動するようになる。この結果、操作ワイヤ４１のリング４１ａがストッパ軸７３から確実に抜け出ることになるため、シャッタ３０が自重によって急速に下方に落下し、檻本体１０の両開口１５，１６が同時に閉塞されることになり、侵入した大型で危険な動物を内部に閉じ込めることができる。
【００３３】
さらに、シャッタ３０が下動すると、図３（ｂ）に示すように、ストッパ部材５０が自重によって下方に傾動し、それぞれのストッパ爪部５１がシャッタ３０の移動域に突出するようになるため、最早シャッタ３０を操作してもこれを上動させることが不可能となる。しかもガイド手段２０の底部の左右に設けたＬ字形状のシャッタ受け５５は、シャッタ３０の外方向への移動を強固に規制し、捕獲された動物（例えばイノシシの類）が突撃した衝撃でシャッタ３０が外れるのを防いでいる。従って、閉じ込めた動物が激しく暴れて檻本体１０が転倒したとしてもこれを逃す虞れがない。
【００３４】
以上説明したように、本発明によれば、開放操作部材を介してシャッタをロックするための手段としてトグル型のものを適用しているが、コイルスプリングの付勢力の強さを複数段階に設定できるようにして、その状態でのコイルスプリングの弾性力に抗して可動体が移動しない限り、当該トグル型ロック手段のセルフロックによってロックが解除されることはなく、例えば比較的小型で軽量の鳥獣が侵入した場合にも誤動作する虞れがない。
【産業上の利用可能性】
【００３５】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００３６】
【図１】本発明に係る捕獲檻１の要部を概念的に示すもので、（ａ）はロック手段がロックした状態を示す側面図、（ｂ）はロック手段がロックを解除した状態を示す側面図である。
【図２】捕獲檻１の外観を示すもので、（ａ）はロック手段がロックして檻本体の開口が開成した状態を示す側面図、（ｂ）はロック手段がロックを解除して檻本体の開口が閉成した状態を示す側面図である。
【図３】（ａ）はストッパ手段がシャッタの移動域から退避した状態を示す概念側面図、（ｂ）はストッパ手段がシャットの移動域に突出した状態を示す概念側面図である。
【図４】捕獲檻へロック手段を取付けた状態を示す分解斜視図である。
【符号の説明】
【００３７】
１  捕獲檻
１０  檻本体
１１，１２  側壁
１３  上壁
１４  底壁
１５，１６  開口
１７  外枠
１８  格子
１８ａ  金属棒
２０  ガイド手段
２１  スライドガイド部材
２２  連結部材
２３  第１滑車
３０  シャッタ
３１  外枠
３２  格子
４０  ワイヤ
４１  操作ワイヤ
４１ａ，４１ｂ  リング
４２  フック金具
４２ａ  スロット
４３ａ  爪部
４３ｂ  ストッパ
５０  ストッパ部材
５１  ストッパ爪部
５２  重錘部
５３  支持軸
５５  シャッタ受け
６０  可動体
６１  軸
６２  コイルスプリング
６３  高さ調整金具
６３ａ  孔
６３ｂ  連結ピン
７０  ロック手段
７１  ロック本体
７１ａ  金属板材
７２  四節リンク
７２ａ  第１リンク
７２ｂ  第１軸
７２ｃ  第２リンク
７２ｄ  第２軸
７２ｅ  第３リンク
７２ｆ  第３軸
７２ｇ  第４軸
７２ｈ  第４リンク
７２ｊ  第２リンク延長部分
７２ｋ  第４リンク延長部分
７３  ストッパ軸
７３ａ  補助ストッパ
８０  コイルスプリングの保持金具
８０ａ，８０ｂ  辺
８０ｃ  溝
８１  係止部
【図１】
2005261381.tif 000003
【図２】
2005261381.tif 000004
【図３】
2005261381.tif 000005
【図４】
2005261381.tif 000006